(57)【要約】【課題】オプション用のヒューズブロックを省スペースでメンテナンス性良く装着する。【解決手段】接続箱本体２にヒューズ装着部３を設け、ヒューズ装着部とは別にオプション用のヒューズブロック１６を装着するヒューズブロック装着部６を接続箱本体２の投影面積の範囲内で接続箱本体に設けた。ヒューズブロック装着部６をヒューズ装着部３の近傍に設けた。ヒューズブロック１６からのリード線１７を導出するようにヒューズブロック装着部６を切欠した。リード線１７を固定する電線保持部２３を接続箱本体２に設けた。ヒューズブロック装着部６は三方の壁部８〜１０で囲まれたヒューズブロック収容空間１１を有する。ヒューズブロック装着部６はヒューズブロック１６に対する係止部１４を有する。ヒューズ装着部３とヒューズブロック装着部６とを一体に覆うカバーを設けた。【選択図】　　　図１
2004048960.tif 000002
【特許請求の範囲】
【請求項１】
接続箱本体にヒューズ装着部が設けられ、該ヒューズ装着部とは別にオプション用のヒューズブロックが装着される電気接続箱であって、前記オプション用のヒューズブロックを装着するヒューズブロック装着部が前記接続箱本体の投影面積の範囲内で該接続箱本体に設けられたことを特徴とする電気接続箱。
【請求項２】
前記ヒューズブロック装着部が前記ヒューズ装着部の近傍に設けられたことを特徴とする請求項１記載の電気接続箱。
【請求項３】
前記ヒューズブロック装着部が前記ヒューズブロックからのリード線を導出できるように切欠されていることを特徴とする請求項１又は２記載の電気接続箱。
【請求項４】
前記ヒューズブロックからのリード線を固定する電線保持部が前記接続箱本体に設けられたことを特徴とする請求項１〜３の何れか１項に記載の電気接続箱。
【請求項５】
前記ヒューズブロック装着部が、三方の壁部で囲まれたヒューズブロック収容空間を有することを特徴とする請求項１〜４の何れか１項に記載の電気接続箱。
【請求項６】
前記ヒューズブロック装着部が、前記ヒューズブロックに対する係止部を有することを特徴とする請求項１〜５の何れか１項に記載の電気接続箱。
【請求項７】
少なくとも前記ヒューズ装着部と前記ヒューズブロック装着部とを一体に覆うカバーが設けられたことを特徴とする請求項１〜６の何れか１項に記載の電気接続箱。
【発明の詳細な説明】
【０００１】
【発明の属する技術分野】
本発明は、オプション用のヒューズブロックをカセット式に装着する電気接続箱に関するものである。
【０００２】
【従来の技術】
図３は従来の電気接続箱の一形態を示すものである。
この電気接続箱６４は、ヒューズ装着部（ヒューズブロック）６５やリレー装着部６６やコネクタ部６７を有する接続箱主体部５２と、接続箱主体部５２の外周側に装着されるオプション用のヒューズブロック６８とを備えるものである。
【０００３】
接続箱主体部５２の内部にはバスバー配線板等の複数枚の回路基板が収容され、回路基板から立ち上げ又は垂下された雄端子６９や、雄端子６９に続く雌型の中継端子（図示せず）が合成樹脂製のケース（接続箱本体）５９の各ハウジング内に位置して、コネクタ６７や各電気部品装着部６５，６６が構成されている。ヒューズ装着部６５にはブレード型の複数のヒューズが挿入され、ヒューズ７０やリレー７１は中継端子を介して回路基板に接続される。コネクタ６７には外部ワイヤハーネスのコネクタが嵌合接続される。
【０００４】
オプション用のヒューズブロック６８は合成樹脂製の矩形状のケース７２内に複数のブレード型ヒューズ７３をカセット式に装填したもので、各ヒューズ７３はケース７２内で雌型の端子に接続され、雌型の端子は各電線７４に接続され、各電線７４はテープ等で結束されて接続箱主体部５２側のワイヤハーネス（図示せず）と共に外側に導出される。接続箱主体部５２側のワイヤハーネスはケース５９の各コネクタ６７に接続される。
【０００５】
オプション用のヒューズブロック６８のケース７２の外面にはスライド係合部７５が突出形成され、接続箱主体部５２のケース５９の一側面に、スライド係合部７５をスライド式に係合させるレール状のガイド部７６と係止部（図示せず）が設けられている。ヒューズブロック６８はスライド式に接続箱主体部５２の側端部に装着される。
【０００６】
オプション用のヒューズブロック６８は例えば車両のマイナーチェンジ時等にヒューズ７３を追加する必要が生じた場合に装着される。従って、接続箱主体部５２側のガイド部７６はヒューズブロック６８を装着しない場合でも設けられている。
【０００７】
接続箱主体部５２の表面側には合成樹脂製の大きなカバー（図示せず）を装着したり、あるいはヒューズ装着部６５とオプション用のヒューズブロック６８とを別々に覆う小さなカバー（図示せず）を装着する。これらカバーについては実開平１−６９３１５号で本出願人から提案されている。カバーは電気接続箱６４の一部を構成する。
【０００８】
接続箱主体部５２はブラケット５５，５６，６０を介してボルトやナットや係止手段で車両ボディ５１側に固定される。電気接続箱６４の表面側には車両ボディ側の合成樹脂製等のパネル５４が対向して（近接して）位置し、パネル５４にはヒューズ装着部６５に対向してメンテナンス用の窓６２が設けられている。
【０００９】
【発明が解決しようとする課題】
しかしながら、上記従来の電気接続箱６４にあっては、オプション用のヒューズブロック６８がパネル５４の窓部６２から遠く離れているために、ヒューズブロック６８内のヒューズ７３の視認性が悪く、メンテナンス作業者がヒューズブロック６８内のヒューズ７３を確認したり、ヒューズ７３を新品に交換したりする際の作業性が悪いという問題があった。
【００１０】
また、オプション用のヒューズブロック６８が接続箱主体部５２の側端面から外側に突出するために、電気接続箱６４が肥大化し、組付側である車両ボディ側のスペースを多く必要としたり、組付時等に車両ボディ側の部品や構造物に干渉したりするという問題があった。
【００１１】
また、電気接続箱６４にカバーを装着する場合、接続箱主体部側のヒューズ装着部６５とオプション用のヒューズブロック６８とを一体に覆う大きなカバーを用いた場合には、ヒューズブロック６８を覆うカバー部分が外側に大きく突出し、これはヒューズブロック６８を用いない場合でも同じで、上記同様に無駄なスペースをとるという問題を生じた。また、接続箱主体部側のヒューズ装着部６５とオプション用のヒューズブロック６８とで別々のカバーを用いた場合には、カバーの装着工数が倍になり、生産性が悪化するという問題を生じた。
【００１２】
本発明は、上記した点に鑑み、オプション用のヒューズブロックの視認性やメンテナンス性を高めることができ、また、オプション用のヒューズブロックの装着に伴う肥大化や、カバーの装着に伴う肥大化や工数の増大を防止することのできる電気接続箱を提供することを目的とする。
【００１３】
【課題を解決するための手段】
上記目的を達成するために、本発明の請求項１に係る電気接続箱は、接続箱本体にヒューズ装着部が設けられ、該ヒューズ装着部とは別にオプション用のヒューズブロックが装着される電気接続箱であって、前記オプション用のヒューズブロックを装着するヒューズブロック装着部が前記接続箱本体の投影面積の範囲内で該接続箱本体に設けられたことを特徴とする。
上記構成により、ヒューズブロックが従来のように接続箱本体の投影面積よりも外側に出っ張ることがなく、電気接続箱の肥大化が防止される。
【００１４】
請求項２に係る電気接続箱は、請求項１記載の電気接続箱において、前記ヒューズブロック装着部が前記ヒューズ装着部の近傍に設けられたことを特徴とする。
上記構成により、ヒューズ装着部に対向して位置するパネルのメンテナンス用の窓部がヒューズブロック装着部の直近に位置し、これによりオプション用のヒューズブロックが容易に確認され、且つ容易に交換される。
【００１５】
請求項３に係る電気接続箱は、請求項１又は２記載の電気接続箱において、前記ヒューズブロック装着部が前記ヒューズブロックからのリード線を導出できるように切欠されていることを特徴とする。
上記構成により、オプション用のヒューズブロックをヒューズブロック装着部に装着すると同時に、ヒューズブロックからのリード線がヒューズブロック装着部の切欠部からスムーズに導出され、ヒューズブロックの装着が容易に行われる。
【００１６】
請求項４に係る電気接続箱は、請求項１〜３の何れか１項に記載の電気接続箱において、前記ヒューズブロックからのリード線を固定する電線保持部が前記接続箱本体に設けられたことを特徴とする。
上記構成により、オプション用のヒューズブロックからのリード線が電線保持部で接続箱本体に固定され、リード線の浮き上がりやそれに伴う外部との引っ掛かりや干渉が防止される。
【００１７】
請求項５に係る電気接続箱は、請求項１〜４の何れか１項に記載の電気接続箱において、前記ヒューズブロック装着部が、三方の壁部で囲まれたヒューズブロック収容空間を有することを特徴とする。
上記構成により、ヒューズブロックが三方の壁部で囲まれて外部との干渉等から保護されると共に、倒れ等なく安定に保持される。
【００１８】
請求項６に係る電気接続箱は、請求項１〜５の何れか１項に記載の電気接続箱において、前記ヒューズブロック装着部が、前記ヒューズブロックに対する係止部を有することを特徴とする。
上記構成により、ヒューズブロックがヒューズブロック装着部内で係止手段でしっかりと固定され、リード線の引張等に対してもヒューズブロックが安定に保持される。
【００１９】
請求項７に係る電気接続箱は、請求項１〜６の何れか１項に記載の電気接続箱において、少なくとも前記ヒューズ装着部と前記ヒューズブロック装着部とを一体に覆うカバーが設けられたことを特徴とする。
上記構成により、オプション用のヒューズブロックを装着しない時でも、カバーが接続箱本体の外側に出っ張ることがなく、無駄なスペースをとることがない。
【００２０】
【発明の実施の形態】
以下に本発明の実施の形態を図面を用いて詳細に説明する。
図１〜図２は、本発明に係る電気接続箱の一実施形態を示すものである。
【００２１】
この電気接続箱１は、図１の如く、合成樹脂製のケース（接続箱本体）２にヒューズ装着部３やリレー装着部４といった電気部品装着部と、コネクタ部５とを設けると共に、ヒューズ装着部３に隣接して（近接して）オプション用ヒューズブロック装着部６をケース２と一体に設けたことを特徴とするものである。
【００２２】
オプション用ヒューズブロック装着部６はケース２の表面側（上側）の壁部７に略コの字状に形成（立設）され、三方の突出した壁部８〜１０で囲まれたヒューズブロック収容空間１１と、収容空間１１の一側方に続く切欠された開口部（切欠部）１２と、開口部１２と直交する収容空間１１の上側の開口部とを備えている。
【００２３】
ヒューズブロック装着部６の二方の対向する壁部８，９の内面側には例えば合成樹脂又は金属等の別部材でヒューズブロック案内部１３と係止部１４とを有する壁部１５が形成されている。ヒューズブロック案内部１３や係止部１４を別部材としたのは成形時の加工性や加工精度を上げるためであり、この案内兼係止用の壁部１５は二色成形やインサート成形や嵌め込み等によって二方の壁部８，９に固定される。勿論、ヒューズブロック案内部１３や係止部１４を別部材とせずに、二方の壁部８，９に一体に樹脂成形で形成してもよい。また、一側方の開口部１２は完全に切欠されていなくとも、少なくともオプション用のヒューズブロック１６からの電線（リード線）１７を導出できる寸法で幅方向の中央等の一部が切欠されていればよい。
【００２４】
ヒューズブロック案内部１３は例えば左右各一対の垂直なレール状のガイド部であり、係止部１４は例えば係止突起又は係止孔ないし係止凹部である。係止部１４は一対のガイド部１３の間又はガイド部１３の外側に配置される。係止突起に代えて、オプション用のヒューズブロック１６の下側の端面を受けるストッパとしての突部を設け、対向するガイド部１３の間でヒューズブロック１６を挟むように固定ないし保持させてもよい。
【００２５】
ヒューズブロック１６は上側の開口からヒューズブロック装着部６内に挿入され、三方の壁部８〜１０で囲まれて外部との干渉等から保護される。ヒューズブロック１６は従来同様に合成樹脂製の矩形状のケース１８を含み、ケース１８の外面に前記ガイド部１３にスライド自在に係合する一対のリブ状のスライド係合部１９が突出形成されている。スライド係合部１９をリブではなく垂直な溝としてもよい。あるいは前記ガイド部１３を溝としてもよい。ヒューズブロック１６をスライド係合させるための構成は適宜設定可能である。
【００２６】
一対のスライド係合部１９の間又は外側にヒューズブロック装着部６内の係止部４に対する被係止部２０が設けられている。被係止部２０は突起又は凹部等である。係止部１４と被係止部２０で成る係止手段も種々の形態のものを適用可能である。係止部１４と被係止部２０の場所も二方の壁部８，９に限らず、中間の短辺側の壁部１０やヒューズブロック１６の側壁２１であってもよい。
【００２７】
また、ヒューズブロック１６を上部開口からではなく一側方の切欠された開口部１２からヒューズブロック装着部６内に挿入するように、ガイド部１３やスライド係合部１９や係止部１４や被係止部２０を水平方向に配置することも可能である。この場合は一側方の開口部１２は完全に広く（ヒューズブロック１６の幅寸法で）切欠する必要がある。また、三方の壁部８〜１０ではなく対向する二方の壁部８，９のみを用いてヒューズブロック１６を固定させることも可能である。
【００２８】
ヒューズブロック１６をケース２の上方（表面側）に配置したことで、すなわちヒューズブロック装着部６をケース２の投影面積の範囲内でケース２の幅広側の壁部７に設けたことで、従来のようにヒューズブロックが側方に出っ張ることがなく、電気接続箱１の肥大化が防止される。
【００２９】
ヒューズブロック装着部６の高さ寸法はヒューズブロック１６の高さ寸法よりも高く（長く）設定され、ヒューズブロック装着部６の底部（下部）側に電線導出用の空間が構成される。図２の如くヒューズブロック１６をヒューズブロック装着部６内に嵌合させた状態で、ヒューズブロック１６の底部から導出された複数本の電線１７はヒューズブロック装着部６の底部空間から一側方の開口１２を経て外部に導出される。側方の開口部１２の幅は少なくとも複数の電線１７をスムーズに導出できる寸法で切欠されていることが必要である。電線１７の本数はヒューズブロック１６内のヒューズ２２の数の二倍すなわちヒューズ２２の端子の数と同じである。
【００３０】
図１でヒューズブロック１６の構成は従来と同様でヒューズ２２の雄型の端子を接続する例えば雌型の端子（図示せず）をケース１８内に有しており、雌型の端子に電線（リード線）１７が接続されている。図２の組付状態でヒューズブロック１６の上端はヒューズブロック装着部６の上端とほぼ同一面に位置する。
【００３１】
図１で電気接続箱１のケース２の上壁７の一側端にはヒューズブロック装着部６の側方の開口１２の延長線上に電線保持部２３が一体に設けられている。電線保持部２３は略Ｌ字状に屈曲した一対の対称なアームで構成されている。一対のアームの間には電線挿通用の隙間２４が形成され、アームを下向きに撓ませつつ電線１７（図２）が隙間２４から電線保持部２３内に挿入される。複数本の電線１７は図２の如く電線保持部２３で束ねられつつ、ケース２の各コネクタ５に接続されたワイヤハーネス（図示せず）と共に外部に導出される。電線保持部２３の位置や数は適宜設定可能である。
【００３２】
図１でヒューズブロック装着部６は通常のヒューズ装着部３に近接して設けられている。ヒューズ装着部３は、ブレード型のヒューズ２５を挿入する孔部２６を有する矩形状の小さなハウジング２７を並列に且つ複数列に配置して成るものである。ヒューズブロック装着部６の長辺側の壁部９が最終端のヒューズ挿入用のハウジング２７１に近接して平行に位置している。
【００３３】
本例で長辺側の壁部８，９の一端すなわち側方の開口部１２はヒューズ装着部３の一方の外側端２８よりも少し内側に位置し、長辺側の壁部８，９の他端すなわち短辺側の壁部１０はヒューズ装着部３の他方の外側端２９よりもやや外側に位置しているが、ヒューズブロック装着部６はケース２の上壁７においてヒューズ装着部３の概ね延長上に位置している。ヒューズブロック装着部６を開口部１２側にややずらして配置することで、ヒューズ装着部３の完全な延長上に位置させてもよい。
【００３４】
このように、ヒューズブロック１６とその装着部６が他の複数のヒューズ２５とその装着部３に近接して位置するから、ヒューズ装着部３に対向するパネル側のメンテナンス用の窓（従来の技術の図３参照）からオプション用のヒューズブロック１６を容易に且つ正確に目視点検や交換することができる。
【００３５】
ケース２の上壁７においてヒューズ装着部３の周囲やヒューズブロック装着部６の周囲に各コネクタ５が配置されている。コネクタ５はケース２と一体のハウジング５ａとハウジング５ａ内の雄型の端子３０とで構成され、端子３０は、ケース２内に収容された回路基板等（図示せず）から突出されている。ケース２の裏面側にもコネクタが配置されてもよい。これらコネクタ５には外部ワイヤハーネス（図示せず）のコネクタが接続される。このワイヤハーネスと共にヒューズブロック１６側の電線１７が外部に導出されてオプション部品や電源等に接続される。ケース２内の回路基板はバスバー配線板や電線布線板等が適宜に使用される。電子ユニット（電子基板）を回路基板と共に配置することもある。
【００３６】
図２に鎖線で示す如くケース２の上部に合成樹脂製のカバー３１が装着される。カバー３１は例えば可撓性の係止枠部３２でケース２の側壁の係合突起３３に着脱自在に係止される。カバー３１はヒューズ装着部３とヒューズブロック装着部６とコネクタ部５とを全て一体的に覆って外部との干渉や雨水等から保護する。大きなカバー３１に代えて鎖線３４で示す如く、ヒューズ装着部３とヒューズブロック装着部６とを覆う小さなカバーを用いることも可能である。
【００３７】
オプション部品を用いない場合、ヒューズブロック装着部６内にヒューズブロック１６は装着されない訳であるが、従来の一体型のカバーのようにケース２の側方にカバー３１，３４が出っ張ることがなく、外部と干渉したり邪魔になったりすることがない。
【００３８】
電気接続箱１はケース２の外面側のブラケット３５で車両ボディ側に固定される。カバー３１，３４に対向してパネル（図示せず）が位置し、パネルのメンテナンス用の窓がヒューズ装着部３に対向して位置する。ブラケット３５はケース２に着脱自在なものを使用して接続箱主体部（電気接続箱１）の共用化を図ってもよい。
【００３９】
【発明の効果】
以上の如く、請求項１記載の発明によれば、オプション用のヒューズブロックが接続箱本体の投影面積よりも外側に出っ張ることがなく、電気接続箱がコンパクト化されるから、車両等の狭いスペースに容易に組み付けることができ、組付作業性が向上する。また、電気接続箱の搬送途中等においてオプション用のヒューズブロックが外側に出っ張らないから、外部にぶつけたりする心配がなくなり、ヒューズブロックの脱落や破損等が防止され、電気接続箱の品質が向上する。
【００４０】
請求項２記載の発明によれば、パネル等のメンテナンス用の窓部からオプション用のヒューズブロックを容易に目視確認でき、且つ容易に交換できるから、メンテナンス性が向上する。
【００４１】
請求項３記載の発明によれば、オプション用のヒューズブロックをリード線に邪魔されずにヒューズブロック装着部に容易に且つ確実に装着することができるから、オプション用のヒューズブロックの装着作業性が向上する。
【００４２】
請求項４記載の発明によれば、リード線を保持させることで、リード線の浮き上がりに伴う引っ掛かり等によるリード線の破損やオプション用のヒューズブロックの外れが防止され、オプション用のヒューズブロックの電気的接続の信頼性が向上する。
【００４３】
請求項５記載の発明によれば、オプション用のヒューズブロックが三方の壁部で外部との干渉等から保護されるから、ヒューズブロックの外れや破損等が防止される。また、ヒューズブロックが倒れ等なく安定に保持されるから、電気接続箱の取付方向に殆ど無関係に車両の振動等によるヒューズブロックの抜け落ち等が防止される。
請求項６記載の発明によれば、リード線の引張等に対してもヒューズブロックが安定に保持され、ヒューズブロックの接続品質が確保される。
【００４４】
請求項７記載の発明によれば、オプション用のヒューズブロックを装着しない時でも、一体型のカバーが接続箱本体の外側に出っ張ることがないから、省スペース化が図れると共に、外部との干渉によるカバーの外れや破損が防止され、電気接続箱の品質が向上する。
【図面の簡単な説明】
【図１】本発明に係る電気接続箱の一実施形態を示す分解斜視図である。
【図２】同じく電気接続箱の組立状態を示す斜視図である。
【図３】従来の電気接続箱の一形態とそれを車両ボディに組み付ける状態を示す分解斜視図である。
【符号の説明】
１　　　　　電気接続箱
２　　　　　ケース（接続箱本体）
３　　　　　ヒューズ装着部
６　　　　　ヒューズブロック装着部
８〜１０　　壁部
１１　　　　ヒューズブロック収容空間
１４　　　　係止部
１６　　　　ヒューズブロック
１７　　　　電線（リード線）
２３　　　　電線保持部
３１，３４　カバー
【図１】
2004048960.tif 000003
【図２】
2004048960.tif 000004
【図３】
2004048960.tif 000005